(57)【要約】【課題】一枚のブランクシートより糊貼り部を設けることなく組み立てることができるとともに、使用時にフィルターの落ち込みや落下の虞がないドリッパーを提供する。【解決手段】多角形開口部Ａと楔形底部Ｂを有するフィルター収容部２と、該楔形底部Ｂを差込保持する差込穴６を有する円盤状フランジ部３と、フィルター収容部と円盤状フランジ部を接続している矩形接続板１２及び矩形支持板１３とよりなる接続支持部４を有し、該接続支持部により、円盤状フランジ部の差込穴にフィルター収容部の楔形底部を差込係合した組み立て構造を固定支持したドリッパー。【選択図】  図１
2013085639.tif 000002
【特許請求の範囲】
【請求項１】
中央矩形側板と、該中央矩形側板の両側方に折線を介して扇型に順次連設されている複数の逆三角形側板と、両側方末端に折線を介して連設されていて側縁から突出する連結片により側縁同士を連結することができる連結用側板によって形成される、多角形開口部と楔形底部を有するフィルター収容部と、
フィルター収容部が楔形底部から差し込まれて保持される差込穴を有する円盤状フランジ部と、
一端が折線を介して前記フィルター収容部の中央矩形側板の下端に接続されている矩形接続板）と、該矩形接続板の他端に折線を介して一端が接続され、他端が前記円盤状フランジ部の外周縁に接続されている矩形支持板とによって形成される接続支持部とよりなる、一枚のブランクシートから組み立てられるドリッパーであって、
前記フィルター収容部の楔形底部を前記円盤状フランジ部の差込穴に差込係合して形成される最終組立体の構造が、前記フィルター収容部の中央矩形側板の下端の折線から多角形開口部上端まで折り立てられる前記接続支持部における矩形接続板と該開口部上端において矩形接続板との間の折線からフィルター収容部の外側下方に折り返される矩形支持板とによって固定支持されていることを特徴とする組立式ドリッパー。
【請求項２】
前記フィルター収容部は、前記中央矩形側板の両側方に第一逆三角形側板、第二逆三角形側板及び連結用側板が順次連設されていて、両側方末端の連結用側板の側縁同士が突き合わせ状態となるように中央方向に折り曲げ、連結片同士を係合連結して形成される、六角形開口部を有することを特徴とする請求項１記載の組立式ドリッパー。
【請求項３】
前記接続支持部における矩形支持板の両側縁には折線を介して把持片が連設されていることを特徴とする請求項１又は２に記載の組立式ドリッパー。
【請求項４】
前記フィルター収容部の隣接する逆三角形側板間を折線において折り曲げて形成されている外側に突出する角部に、円盤状フランジ部の差込穴の内縁の一部が差込まれる差込係合用凹部が形成されていることを特徴とする請求項１〜３のいずれか１項に記載の組立式ドリッパー。
【請求項５】
前記円盤状フランジ部の差込穴が多角形差込穴とされ、多角形差込穴の内縁のそれぞれの辺の少なくとも一部に折線を介して下方に折れ曲がるフラップが連設されていることを特徴とする請求項１〜４のいずれか１項に記載の組立式ドリッパー。
【請求項６】
板紙製又はプラスチック製のシートを打ち抜き加工して形成されている一枚のブランクシートから糊貼り部を設けることなく組み立て形成されていることを特徴とする請求項１〜５のいずれか１項に記載の組立式ドリッパー。 
【発明の詳細な説明】
【技術分野】
【０００１】
本発明は、一枚のシートを打ち抜き加工して形成されシートから組み立ててカップの上縁に載せて使用する組立式ドリッパーに関する。
【背景技術】
【０００２】
従来、コーヒー、紅茶、日本茶、ウーロン茶等を入れた紙や合成繊維不織布からなるフィルターを保持した状態でカップの上縁に載置して使用する多種の組み立て形式のドリッパーが提案されている。
たとえば、一枚のブランクシートから形成されていて、流通時はフラット状態に折り畳み可能であり、使用時には立体的に組み立てられる逆台形状の一対の側板の相対する側縁同士を嵌合して形成される舟形のドリップ部と、該逆台形状の一対の側板の双方の下縁に折線を介して連設されている半円状の台板の相対する両端部同士を嵌合して形成されている円盤状の台板部とを有する紙製簡易ドリッパー（特許文献１）や、逆台形状の４側面を有する逆四角錐台形状のドリッパー本体と、該本体の４側面のうちの一側面の底縁に一体に接続されている四角環状の脚部とを有するコーヒードリッパー（特許文献２）が提案されている。
【０００３】
上記特許文献１の舟形形状の紙製簡易ドリッパーは、下縁に折線を介して半円状の台板が連設されている一対の逆台形状の側板部分が、該逆台形状の側板の上縁同士側において切取線を挟んで略対称形となるように一枚の紙製シートを打ち抜き加工して形成されており、組み立て時に該切取線から両逆台形部を切り離し、２つの逆台形状部を重ね合わせて相対する両側縁部分を嵌合させると共に、半円状の台板の相対する両端部同士をも嵌合して一体化されるものである。この舟形形状の紙製簡易ドリッパーは、特許文献１の実施例で使用されている、板紙原紙の両面にポリエチレン樹脂をコートしたシート等を使用することが必要となるものと考えられる。
又、特許文献２のコーヒードリッパーは、逆四角錐台形状の本体部分と四角環状脚部とを組み立てた状態で本体の一側面の下縁と相対する脚部の一側面の上縁とを接着固定することが必要となる構造である。
【０００４】
他に、一枚の紙製ブランクシートより形成されていて、多角形の開口部が形成されているフランジ部と、該フランジ部の開口部の各辺に対応する複数の面板を有し、該フランジ部の開口部に差し込まれる多角形筒状のフィルター保持器本体と、該フランジ部の外周の一部と、複数の面板のうちの一つの面板の下方部分とを接続する接続部とを具えた紙製フィルター保持器であって、前記複数の面板のうちの前記接続部と接続していない面板の下方部分がフランジ部の開口部から下方に突出する構造の紙製フィルター保持器も提案されている（特許文献３）。このフィルター保持器は、多角形筒状のフィルター保持器本体を形成する複数の面板を順次折り曲げて相対する両端面板側縁部同士を接着して固定させているものである。
【先行技術文献】
【特許文献】
【０００５】
【特許文献１】特開平１０−２０１６２７号公報
【特許文献２】実用新案登録第３０８３１６３号公報
【特許文献３】特許第４０９６４５６号公報
【発明の概要】
【発明が解決しようとする課題】
【０００６】
本発明は、多角形開口部と楔形閉鎖底部を有するフィルター収容部と、該フィルター収容部をカップ上部に安定して載置できる円盤状フランジ部とを有していて、一枚のブランクシートより接着部を設けることなく組み立てることができるものであるとともに、使用時のフィルターの落ち込みや落下の虞がないドリッパーを提供することを目的とするものである。
また、本発明は、フィルター収容部の楔形底部近傍に形成する抽出穴の数や大きさにより抽出時間が調節可能な紙製又はプラスチック製の一枚シートよりなるドリッパーを提供するものである。
【課題を解決するための手段】
【０００７】
本発明の組立式ドリッパーは、多角形開口部と抽出穴が形成されている楔形底部とを有する多側板構造のフィルター収容部と、該フィルター収容部の楔型底部を差込係合する差込穴を有する円盤状フランジ部と、該フィルター収容部と該フランジ部との間を一体的に接続していると共に、フィルター収容部と円形フランジ部の係合状態を固定支持する接続支持部とを有していることを特徴とする以下の発明である。
【０００８】
（１）中央矩形側板（７）と、該中央矩形側板（７）の両側方に折線を介して扇型に順次連設されている複数の逆三角形側板(８、９、・・・)と、両側方末端に折線を介して連設されていて側縁から突出する連結片(１１)により側縁同士を連結することができる連結用側板（１０）によって形成される、多角形開口部（Ａ）と楔形底部（Ｂ）を有するフィルター収容部（２）と、
フィルター収容部が楔形底部から差し込まれて保持される差込穴（６）を有する円盤状フランジ部（３）と、
一端が折線を介して前記フィルター収容部（２）の中央矩形側板（７）の下端に接続されている矩形接続板（１２）と、該矩形接続板（１２）の他端に折線を介して一端が接続され、他端が前記円盤状フランジ部（３）の外周縁に接続されている矩形支持板（１３）とによって形成される接続支持部（４）とよりなる、一枚のブランクシートから組み立てられるドリッパーであって、
前記フィルター収容部（２）の楔形底部（Ｂ）を前記円盤状フランジ部（３）の差込穴（６）に差込係合して形成される最終組立体の構造が、前記フィルター収容部（２）の中央矩形側板（７）の下端の折線から多角形開口部（Ａ）上端まで折り立てられる前記接続支持部（４）における矩形接続板（１２）と該開口部上端において矩形接続板（１２）との間の折線からフィルター収容部（２）の外側下方に折り返される矩形支持板（１３）とによって固定支持されていることを特徴とする組立式ドリッパー。
【０００９】
（２）前記フィルター収容部（２）は、前記中央矩形側板（７）の両側方に第一逆三角形側板（８）、第二逆三角形側板（９）及び連結用側板（１０）が順次連設されていて、両側方末端の連結用側板の側縁同士が突き合わせ状態となるように中央方向に折り曲げ、連結片(１１)、（１１）同士を係合連結して形成される、六角形開口部（Ａ）を有することを特徴とする（１）項記載の組立式ドリッパー（１）。
【００１０】
（３）前記接続支持部（４）における矩形支持板（１３）の両側縁には折線を介して把持片（１６）が連設されていることを特徴とする（１）項又は（２）項に記載の組立式ドリッパー（１）。
【００１１】
（４）前記フィルター収容部（２）の隣接する逆三角形側板間を折線において折り曲げて形成されている外側に突出する角部に、円盤状フランジ部（３）の差込穴の内縁の一部が差込まれる差込係合用凹部（５）が形成されていることを特徴とする（１）項〜（３）項のいずれか１項に記載の組立式ドリッパー（１）。
【００１２】
（５）前記円盤状フランジ部（３）の差込穴（６）が多角形差込穴とされ、多角形差込穴の内縁のそれぞれの辺の少なくとも一部に折線を介して下方に折れ曲がるフラップ（６’）が連設されていることを特徴とする（１）項〜（４）項のいずれか１項に記載の組立式ドリッパー（１）。
【００１３】
（６）前記円盤状フランジ部（３）の差込穴（６）の近傍に覗き窓（１５）が形成されていることを特徴とする（１）項〜（５）項のいずれか１項に記載の組立式ドリッパー（１）。
【００１４】
（７）前記楔形底部（Ｂ）における抽出孔（１７）は、フィルター収容部（２）の中央矩形側板（７）と、該矩形側板（７）と相対する位置で重なり合っている前記矩形接続板（１２）と前記連結側板（１０’）の双方における楔形底部（Ｂ）の近傍に形成されていることを特徴とする（１）項〜（６）項のいずれか１項に記載の組立式ドリッパー（１）。
【００１５】
（８）板紙製又はプラスチック製のシートを打ち抜き加工して形成されている一枚のブランクシートから糊貼り部を設けることなく組み立て形成されている（１）項〜（７）項のいずれか１項に記載の組立式ドリッパー（１）。
【００１６】
（９）前記フィルター収容部（２）の中央矩形側板（７）の下方の折線から上方に前記矩形接続板（１２）を折り立てて楔形底部（Ｂ）を形成し、次いで、該矩形接続板（１２）を包み込むように両側方から前記連結用側板（１０，１０）を折畳んで互いの連結片（１１）同士を矩形接続板（１２）の外面で係合して矩形状連結側板（１０’）を形成し、次いで、矩形接続板（１２）に折線を介して連設されている矩形支持板（１３）を連結側板（１０’）の上端縁から連結側板（１０’）の外側に２度折り曲げて矩形支持板（１３）に折線を介して連設されている円盤状フランジ部（３）を連結側板（１０’）の下方に位置させ、さらに、該円盤状フランジ部（３）を折線からフィルター収容部（２）の楔形底部（Ｂ）側に水平状態に折り曲げてその差込穴（６）に楔形底部（Ｂ）を差込係合する、という手順で前記一枚のブランクシートから組み立てられていることを特徴とする（１）項〜（８）項のいずれか１項に記載の組立式ドリッパー（１）。
【発明の効果】
【００１７】
本発明の組立式ドリッパーは、糊貼り部（接着部）のない一枚のブランクシートから簡単な組立作業にしたがって組み立て可能であり、ペーパーフィルターの落ち込みや落下の虞がないという効果を奏する。
【図面の簡単な説明】
【００１８】
【図１】組立式ドリッパーの展開図（ブランク）である。
【図２】組立完了したドリッパーの側面図である。
【図３】組み立てが完了したドリッパーの使用時の状態を示す斜視図である。
【図４】図１のブランクから図２の完成ドリッパーを組み立てる手順を示す図である。
【発明を実施するための形態】
【００１９】
以下、図面を参照して本発明の組立式ドリッパーを詳細に説明する。図１は本発明の一実施態様である六角形開口部を有する組立式ドリッパーを展開したシート（ブランクシート）を示す図である。
図１のシートから形成される本発明の組立式ドリッパー（１）は、フィルター収容部（２）と、円盤状フランジ部（３）と、該フィルター収容部（２）と円盤状フランジ部（３）を接続する接続支持部（４）の夫々を形成する板状体部分を有する一枚のブランクシートから糊貼り部を設けることなく組み立てられる組立式ドリッパーである。
【００２０】
図１のブランクシートにおいて、フィルター収容部（２）は、中央矩形側板（７）の両側方に折線（Ｌ）を介して順次連設されている逆三角形側板（８）、（９）と、両側方末端の連結用側板（１０）とを有する扇形形状のシート部から組み立てられる。
両側方末端の連結用側板（１０）は、その側縁から折線を介して外方に突出する連結片（１１）を有しており、該連結片（１１）は、両側方末端の連結用側板（１０）の側縁同士を突き合わせた状態において互いを係合できる形状に形成されており、該両側方末端の連結用側板の側縁同士を突き合わせて連結片（１１）同士を係合して前記中央矩形側板（７）と相対する連結板（１０’）を形成する。
【００２１】
逆三角形側板（８）と（９）の間の折線（Ｌ）の下方部分には、該折線（Ｌ）に直交する短い切線（Ｃ）が設けられるとともに、該切線（Ｃ）の左右両端から僅か上方の折線（Ｌ）上の１点に向けて一対の短い折線（Ｌ）が形成されている。この切線（Ｃ）と一対の短い折線（Ｌ）とによって形成される小三角形部分は、フィルター収容部（２）を組み立てた状態の多角形側面において外方に突き出る線状の角部を形成する各側板間の折線（Ｌ）部分に存在することとなり、該切線（Ｃ）部分から上方の小三角形の底辺側をフィルター収容部の内部方向に押し込むことによって、切線Ｃ部分が段部となる凹部（５）を形成することができる。
この段部を有する凹部（５）は、組み立て完成ドリッパーにおいて、円盤状フランジ部（３）の差込穴（６）にフィルター収容部（２）を楔形底部（Ｂ）側から差し込み、その側面の凹部（５）に差込穴（６）の周縁部が入り込むまで差し込むと、前記凹部（５）の段部が円盤状フランジ部の外周縁を下方から支持することとなり、フィルター収容部（２）と円盤状フランジ部の係合状態がより確実なものとする役割を果たす。
【００２２】
また、中央矩形側板（７）の楔形底部（Ｂ）の近傍には抽出孔（１７）が設けられており、フィルターで抽出されたコーヒー液等は、この抽出孔から排出される。この抽出孔の数や大きさを変えることにより、抽出時間の調節が可能である。
【００２３】
円盤状フランジ部（３）は、接続支持部（４）を介して前記フィルター収容部（２）と一体的に接続される。
円盤状フランジ部（３）の中央には、フィルター収容部（２）を前記楔形底部（Ｂ）部分から差し込んで固定するための差込穴（６）が形成されている。
図１の例では、差込穴（６）は多角形差込穴として形成されており、該多角形差込穴（６）の多角形内縁における少なくとも複数の辺には、該差込穴（６）内に差し込まれたフィルター収容部（２）の側面を差込穴（６）の下方において押え付けて支持するフラップ（６’）が折線（Ｌ）を介して連設されている。
【００２４】
上記のようなフラップ（６’）が多角形差込穴の各辺に形成される場合は、フラップ（６’）の根元となる折線（Ｌ）を切線（Ｃ）による部分的な切断端部を形成して、フィルター収容部（２）の側面に形成されている差込係合用凹部（５）に差込係合できる端縁部（１４）を設けておくことが好ましい。円盤状フランジ部（３）には、フランジ部下方のカップ内を目視できる覗き窓（１５）を設けることができる。
また、この覗き窓は、コ字状の切線（Ｃ）により円盤状フランジ部（３）の一部を切断し、非切断部に折線（Ｌ）を設けて形成されている開閉可能なフラップ（１５’）が設けられている構造とすることもできる。
【００２５】
接続支持部（４）は、一端が折線を介して前記フィルター収容部（２）の中央矩形側板（７）の下端に接続されている矩形接続板（１２）と、該矩形接続板（１２）の他端に折線を介して一端が接続され、他端が前記円盤状フランジ部（３）の外周縁に接続されている矩形支持板（１３）とによって構成されている。
この接続支持部（４）は、フィルター収容部（２）と円盤状フランジ部（３）を一体的に接続していて、組み立て完了したドリッパーにおいて、フィルター収容部（２）の楔形底部（Ｂ）側が円盤状フランジ部（３）の差込穴（６）に差し込まれた状態を固定支持する役割を担っている。
【００２６】
接続支持部（４）において、一方の端部がフィルター収容部（２）の中央矩形側板（７）の下方に折線Ｌを介して一体的に接続され、他方の端部は折線Ｌを介して矩形接続支持板（１３）の一端に接続されている矩形接続板（１２）は、矩形支持板（１３）と円盤状フランジ部（３）と一緒に中央矩形側板（７）側の折線Ｌから中央矩形側板（７）と対面するように上方に折り立てることによって、閉鎖状態の楔形底部（Ｂ）部分を形成しており、フィルター収容部を形成するためにその外面に折り重ねられ、両側縁の連結片（１１）同士を係合して形成される前記連結側板（１０’）と一対で前記中央矩形側板（７）と対面する矩形側板部分を形成する。
【００２７】
接続支持部（４）において、一方の端部が折線（Ｌ）を介して前記矩形接続板（１２）に接続され、他方の端部は折線（Ｌ）を介して円盤状フランジ部（３）の外周縁に接続されている矩形支持板（１３）は、まず、上記のように中央矩形側板（７）と対面配置された状態にある矩形接続板（１２）との間の折線Ｌにおいて、前記円盤状フランジ部（３）と一緒に前記フィルター収容部（２）の連結側板（１０’）の上端縁から外側面方向に２度折りされる。次に、この状態から、矩形支持板（１３）に折線を介して連設されている円盤状フランジ部（３）がフィルター収容部（２）の楔形底部（Ｂ）側に水平に折り曲げられ、その中央差込穴（６）内に楔形底部（Ｂ）が差し込まれてフィルター収容部（２）の多角形側面が円盤状フランジ内縁部によって押さえ付け支持されて組み立てが完了すると、フィルター収容部（２）の上端縁から円盤状フランジ部（３）の外周縁に跨って配置されている状態となり、ドリッパーの最終組立構造を堅固に固定支持する役割を担っている。
【００２８】
また、矩形支持板（１３）には、その両側縁に折線（Ｌ）を介して把持片（１６）を連設し、該折線から把持片を外方に折り曲げることによってドリッパー把持部を形成できる矩形支持板とすることが好ましい。
【００２９】
本発明の組立式ドリッパーを図１のブランクから組み立てる手順を図４にしたがって説明する。
先ず、図１のブランクから、図４の（ａ）に矢印で示すように、中央矩形側板（７）と矩形接続板（４）の間の折線Ｌから接続支持部（４）を構成する矩形接続板（１２）と矩形支持板（１３）を円盤状フランジ部（３）と一体で中央矩形側板（７）の面に折り重ねて図４の（ｂ）の状態とする。
【００３０】
次に、図４の（ｂ）に示す扇形配置の各側板からなるフィルター収容部（２）を矢印で示すように両側方から中央方向に折り畳んで両末端の連結用側板（１０）、（１０）の両側縁の連結片(１１)、(１１)を係合し、中央矩形側板（７）と対面する連結側板（１０’）が形成されている図４の（ｃ）の状態とする。
次に、接続支持部（４）の矩形支持板（１３）側の折線Ｌから矩形支持板（１３）と円盤状フランジ部（３）を一体として、図４の（ｃ）に示す矢印方向に折返して、矩形支持板（１３）が連結側板（１０’）の外面を覆っている図（ｄ）の状態とする。
【００３１】
次に、図４の（ｄ）に矢印で示す奥行き方向に、円盤状フランジ部（３）側の折線Ｌから該円盤状フランジ部（３）を水平に折り曲げて多角形差込穴（６）内にフィルター収容部（２）の楔形底部（１２）を差し込んだ図４の（ｅ）の状態とする。
【００３２】
最後に、楔形底部（Ｂ）を多角形差込穴（６）内にさらに深く差し込んで、フィルター収容部（２）の側面を多角形差込穴（６）の内縁部で押え付け支持して図４の（ｆ）に示す状態にフィルター収容部と円盤状フランジ部を一体化する。
この際、フィルター収容部（２）の側面の折り曲げ角部に前記差込係合用凹部（５）を形成しておいて、該凹部（５）に円盤状フランジ部（３）の多角形差込穴（６）の内縁部が入り込むまで差し込んで、該凹部（５）に形成されている前記段部により多角形差込穴（６）の内縁部が下面から支持されている図４の（ｆ）に示す状態にフィルター収容部と円盤状フランジ部を一体化することが好ましい。
【００３３】
図４に示す手順で組み立てられたドリッパーは、図２及び図３に示されるように、六角形開口部（Ａ）と抽出孔（１７）を備えた楔形底部（Ｂ）とを有するフィルター収容部（２）と円盤状フランジ部（３）とが把持片（１６）が設けられている矩形支持板（１３）を有する接続支持板によって一体に固定支持されている状態のドリッパーである。
そして、図３に示されるように、カップの上端縁に円盤状フランジ部（３）を載置した状態で抽出処理に使用される。
【００３４】
図１〜図４には、六角形状開口部を有するフィルター収容部を備えたドリッパーの例を示したが、図１の中央矩形側板（７）の両側方に配置される逆三角形側板の配置状態が中央矩形側板（７）に対して両側方に対称配置されている状態であればさらに多角形の開口部を有するフィルター収容部を備えたドリッパーとすることも可能である。
【産業上の利用可能性】
【００３５】
本発明のドリッパーは、フィルター部分の落ち込みや落下のない構造であるので、ペーパーフィルターが使用されることが多いコーヒー、日本茶、紅茶、ウーロン茶、ハーブティーに好適に用いられるのみならず、各種の薬草類のエキスの抽出用ドリッパーとしても好適に用いられる。また、糊貼り部を有していないので、抽出時にドリッパーが温められたり、湯で湿潤状態となった場合に揮発性物質等による異臭を発生させることなく抽出飲料を得ることができる。
【符号の説明】
【００３６】
１：ドリッパー
２：フィルター収容部
３：円盤状フランジ部
４：接続支持部
５：フィルター収容部側面の差込係合用凹部
６：差込穴
６’：フラップ
７：中央矩形側板
８：第一逆三角形側板
９：第二逆三角形側板
１０：連結用側板
１０’：連結側板
１１：連結片
１２：矩形接続板
１３：矩形支持板
１４：端縁部
１５：覗き窓
１５’：フラップ
１６：把持片
１７：抽出孔
Ａ：多角形開口部
Ｂ：楔形底部
Ｃ：切線
Ｌ：折線
【図１】
2013085639.tif 000003
【図２】
2013085639.tif 000004
【図３】
2013085639.tif 000005
【図４】
2013085639.tif 000006